(57)【要約】【課題】搬送ベルトのばたつきを防止することで記録媒体の搬送を安定化する。【解決手段】搬送装置５は、記録媒体Ｋを裏面側から支持しつつ搬送方向に搬送する搬送ベルト６と、この搬送ベルト６における記録媒体Ｋの支持領域のうち、少なくとも一部の領域を、搬送方向Ｘの上流側から下流側に向かってカテナリー曲線状に支持するプラテン７とを備える。【選択図】図１
2007069466.tif 000002
【特許請求の範囲】
【請求項１】
記録媒体を裏面側から支持しつつ搬送方向に搬送する搬送ベルトと、
この搬送ベルトにおける記録媒体の支持領域のうち、少なくとも一部の領域を、前記搬送方向の上流側から下流側に向かってカテナリー曲線状に支持するプラテンとを備えることを特徴とする搬送装置。
【請求項２】
請求項１記載の搬送装置において、
前記搬送ベルトの表面と平行で前記搬送方向と直交する方向に延在し、前記搬送ベルトの表面に記録媒体を案内する紡錘形の搬送ローラを備えることを特徴とする搬送装置。
【請求項３】
請求項２記載の搬送装置において、
前記搬送ローラは、記録媒体を表面側から支持することを特徴とする搬送装置。
【請求項４】
請求項１〜３の何れか一項に記載の搬送装置において、
前記搬送ベルトは、無端ベルトであることを特徴とする搬送装置。
【請求項５】
請求項１〜４の何れか一項に記載の搬送装置において、
前記搬送ベルトは、記録媒体を静電吸着しつつ搬送することを特徴とする搬送装置。
【請求項６】
請求項１〜５の何れか一項に記載の搬送装置と、
前記搬送ベルトに支持された領域の記録媒体に対し、インクを吐出する記録ヘッドとを備え、
前記プラテンは、前記支持領域のうち、少なくとも前記記録ヘッドと対向する領域をカテナリー曲線状に支持することを特徴とするインクジェット記録装置。
【請求項７】
請求項６記載のインクジェット記録装置において、
前記プラテンは、前記搬送ベルトを介して前記記録ヘッドと対向するプラテン部材を有し、
このプラテン部材は、
弾性部材によって前記記録ヘッドの側に付勢されるとともに、
この記録ヘッドの側部によって当該記録ヘッドの側への移動が拘束されていることを特徴とするインクジェット記録装置。
【発明の詳細な説明】
【技術分野】
【０００１】
本発明は、紙などの記録媒体を搬送する搬送装置と、この搬送装置を備えるインクジェット記録装置とに関する。
【背景技術】
【０００２】
従来、紙や布などの記録媒体に画像を記録する装置として、インクジェット記録装置がある。このインクジェット記録装置は、記録ヘッドのインク吐出口から記録媒体に向かってインクを吐出することにより、記録媒体の表面に画像を記録するようになっている。
【０００３】
ところで、このようなインクジェット記録装置においては、記録ヘッドと記録媒体との間隔が不均一であると、インクの着弾精度が低下したり、色ムラが発生したりしてしまう。
【０００４】
そのため、図３に示すように、近年のインクジェット記録装置１００は、記録ヘッド１０１との対向位置で記録媒体Ｋを搬送ベルト１０２の上面で支持しつつ搬送しており、平板状のプラテンで記録媒体Ｋを支持しつつ搬送ローラで搬送する場合と比較して、記録ヘッド１０１と記録媒体Ｋとの間隔を均一に維持するようになっている（例えば、特許文献１参照）。
【特許文献１】特開２０００−１４１６１８号公報
【発明の開示】
【発明が解決しようとする課題】
【０００５】
しかしながら、上記特許文献１に開示のインクジェット記録装置１００では、記録媒体Ｋの搬送中に搬送ベルト１０２が厚み方向にばたついてしまい、記録媒体Ｋの搬送が不安定化する場合がある。そして、このような場合には、記録ヘッド１０１と記録媒体Ｋとの間隔を均一に維持することができずに、良好な画像記録を行えない等の問題が生じてしまう。特に、画像を高精細化し、記録媒体Ｋの搬送速度を高くすると、この問題は顕著となる傾向にある。
【０００６】
本発明の課題は、搬送ベルトのばたつきを防止することで記録媒体の搬送を安定化することができる搬送装置及びインクジェット記録装置を提供することである。
【課題を解決するための手段】
【０００７】
請求項１記載の発明は、搬送装置において、
記録媒体を裏面側から支持しつつ搬送方向に搬送する搬送ベルトと、
この搬送ベルトにおける記録媒体の支持領域のうち、少なくとも一部の領域を、前記搬送方向の上流側から下流側に向かってカテナリー曲線状に支持するプラテンとを備えることを特徴とする。
【０００８】
請求項２記載の発明は、請求項１記載の搬送装置において、
前記搬送ベルトの表面と平行で前記搬送方向と直交する方向に延在し、前記搬送ベルトの表面に記録媒体を案内する紡錘形の搬送ローラを備えることを特徴とする。
【０００９】
ここで、紡錘形とは、中央から両端に向かって次第に細くなる略円柱状の形状をいい、軸方向に垂直な断面が略円形であれば、軸方向と平行な断面において側周面が曲線で構成されていても良いし、直線で構成されていても良いし、曲線及び直線で構成されていても良い。
【００１０】
請求項３記載の発明は、請求項２記載の搬送装置において、
前記搬送ローラは、記録媒体を表面側から支持することを特徴とする。
【００１１】
請求項４記載の発明は、請求項１〜３の何れか一項に記載の搬送装置において、
前記搬送ベルトは、無端ベルトであることを特徴とする。
【００１２】
請求項５記載の発明は、請求項１〜４の何れか一項に記載の搬送装置において、
前記搬送ベルトは、記録媒体を静電吸着しつつ搬送することを特徴とする。
【００１３】
請求項６記載の発明は、インクジェット記録装置において、
請求項１〜５の何れか一項に記載の搬送装置と、
前記搬送ベルトに支持された領域の記録媒体に対し、インクを吐出する記録ヘッドとを備え、
前記プラテンは、前記支持領域のうち、少なくとも前記記録ヘッドと対向する領域をカテナリー曲線状に支持することを特徴とする。
【００１４】
請求項７記載の発明は、請求項６記載のインクジェット記録装置において、
前記プラテンは、前記搬送ベルトを介して前記記録ヘッドと対向するプラテン部材を有し、
このプラテン部材は、
弾性部材によって前記記録ヘッドの側に付勢されるとともに、
この記録ヘッドの側部によって当該記録ヘッドの側への移動が拘束されていることを特徴とする。
【発明の効果】
【００１５】
請求項１〜７の何れか一項に記載の発明によれば、搬送ベルトのばたつきを防止することで記録媒体の搬送を安定化することができる。
【発明を実施するための最良の形態】
【００１６】
以下、本発明の実施の形態について、図面を参照して説明する。
図１（ａ）は、本発明に係るインクジェット記録装置１の概略構成を示す側面図である。
【００１７】
この図に示すように、インクジェット記録装置１は、記録媒体Ｋに画像を記録する画像記録部２と、画像記録部２に対向させて記録媒体Ｋを搬送方向Ｘに搬送する搬送装置５とを備えている。
【００１８】
画像記録部２は、交互に配設された４つの記録ヘッド３，…及び照射装置４，…を有している。
記録ヘッド３は、下面に設けられた複数のインク吐出口（図示せず）から記録媒体Ｋに対して光硬化性のインクを吐出するものである。この記録ヘッド３は、図１（ｂ）に示すように、ライン記録方式によって画像を記録するようになっており、記録媒体Ｋの幅方向Ｙに延在している。この幅方向Ｙにおける記録ヘッド３の両側部には、ベンチコロ３０が突出して設けられている。
【００１９】
なお、本実施の形態においては、図１（ａ）に示すように、搬送方向Ｘの最も上流側の記録ヘッド３はイエローのインクを、２番目に上流側の記録ヘッド３はマゼンダのインクを、３番目に上流側の記録ヘッド３はシアンのインクを、４番目に上流側の記録ヘッド３はブラックのインクを吐出するようになっている。また、各記録ヘッド３に対して搬送方向Ｘの上流側及び下流側には、記録ヘッド３の前記インク吐出口を遮光する遮光部材（図示せず）が配設されている。また、記録媒体Ｋの幅方向Ｙは、搬送方向Ｘと直行している。
【００２０】
照射装置４は、記録ヘッド３よりも搬送方向Ｘの下流側に配設されている。この照射装置４は、下方の記録媒体Ｋに向かって光を照射する光源４０を内部に備えている。なお、光源４０としては、高圧水銀ランプ、低圧水銀ランプ、メタルハライドランプ、ブラックライト、熱陰極管、冷陰極管、ＬＥＤ、無電極ランプ及びエキシマランプ等のうち、少なくとも１つが用いられている。
【００２１】
搬送装置５は、図１（ａ），図２に示すように、搬送方向Ｘの上流側から下流側に向かって元巻きローラ５０、従動ローラ５１ａ〜５１ｃ及び搬送ベルト６をこの順に備えている。なお、これら元巻きローラ５０、従動ローラ５１ａ〜５１ｃ及び搬送ベルト６は、それぞれ記録媒体Ｋの幅方向Ｙに回転軸を有している。
【００２２】
元巻きローラ５０は、モータ等の駆動源（図示せず）によって回転駆動自在となっている。この元巻きローラ５０には、所定幅を有する長尺な記録媒体Ｋが、表面を外周側に向けて巻回されている。
【００２３】
従動ローラ５１ａ〜５１ｃは、元巻きローラ５０から供給される記録媒体Ｋを搬送ベルト６の表面に案内するものであり、回転自在に設けられている。これら従動ローラ５１ａ〜５１ｃのうち、従動ローラ５１ａ，５１ｃは記録媒体Ｋを表面側から、従動ローラ５１ｂは記録媒体Ｋを裏面側から支持している。
【００２４】
また、従動ローラ５１ａは、上下動可能に設けられており、元巻きローラ５０及び従動ローラ５１ｂの間で記録媒体Ｋを下方に案内することによって記録媒体Ｋに一定のテンションを付与することができるようになっている。
【００２５】
また、従動ローラ５１ｃは、本発明における搬送ローラであり、紡錘形に形成されている。これにより、従動ローラ５１ｃは、記録媒体Ｋのテンションを幅方向Ｙの中央側よりも端側で緩和することができるようになっている。
【００２６】
なお、本実施の形態においては、従動ローラ５１ｃの前記幅方向Ｙに垂直な断面は円形となっており、前記幅方向Ｙと平行な断面において側周面が略円弧状に形成されている。また、図２に示すように、記録媒体Ｋの幅方向Ｙの長さＹ0を１８０ｍｍとした場合に、従動ローラ５１ｃにおける記録媒体Ｋとの当接部位のうち、中央部の直径Ｘ1は３１．７ｍｍ、端部の直径Ｘ2は３６ｍｍとなっており、記録媒体Ｋのテンションが幅方向の中央部よりも端部で約５％緩和されるようになっている。
【００２７】
搬送ベルト６は、画像記録部２の下方に配設された環状の無端ベルトであり、上面で記録媒体Ｋを支持している。この搬送ベルト６は、ステンレス（ＳＵＳ）製の基材の表面にテトラフルオロエチレン（ＴＦＥ）を焼き付け処理して形成されている。搬送ベルト６の内周面には、駆動ローラ６０，６０及びプラテン７が内接している。
【００２８】
駆動ローラ６０，６０は、搬送ベルト６を回転させるものであり、搬送方向Ｘに所定の間隔をあけて配設されている。これら駆動ローラ６０，６０は、従動ローラ５１ｃと同形状に形成されており、モータ等の駆動源（図示せず）によって回転駆動自在となっている。
【００２９】
プラテン７は、図１（ａ）に示すように、搬送ベルト６を介して記録媒体Ｋを裏面側から支持するものであり、インナーガイド板７０を備えている。
【００３０】
インナーガイド板７０は、駆動ローラ６０，６０の間に配設されており、搬送ベルト６を上面で支持している。このインナーガイド板７０の上面は、各記録ヘッド３との対向領域に凹部７１を有しており、包絡面が搬送方向Ｘの上流側から下流側に向かってカテナリーアーチ状、即ち、上方に膨出したカテナリー形状になっている。
【００３１】
ここで、カテナリー形状とは、断面がカテナリー曲線（懸垂曲線ともいう）に沿った形状を有する曲面のことである。本実施の形態においては、図１（ａ）の搬送方向Ｘと高さ方向Ｚとの座標平面において、インナーガイド板７０における上端部の点ＰのＸ座標をＸ＝０、搬送方向Ｘの下流側端部の点ＱのＺ座標をＺ＝０とすると、インナーガイド板７０の断面のカテナリー曲線は次式で表される。
Ｚ＝ａ（cosh（Ｘ／ａ）−１）
（但し、ａは定数を示す。）
【００３２】
なお、本実施の形態においては、搬送方向Ｘにおけるインナーガイド板７０の長さＬ１は３９０ｍｍであり、インナーガイド板７０によって形成されるカテナリーアーチの高さＬ２は１５ｍｍとなっている。また、このインナーガイド板７０は、図１（ｂ）に示すように、記録媒体Ｋの幅方向Ｙにおいて記録媒体Ｋよりも長尺になっており、両側部において脚部７０ａ，７０ａで支持されている。但し、図１（ａ）では、脚部７０ａの図示を省略している。
【００３３】
各凹部７１の内部には、図１（ａ）に示すように、コイルばね７２及びプラテン部材７３が配設されている。
コイルばね７２は、本発明における弾性部材であり、プラテン部材７３を記録ヘッド３の側に付勢するようになっている。なお、本実施の形態においては、コイルばね７２による付勢力は５００ｇｆ程度となっている。
【００３４】
プラテン部材７３，…は、図１（ｂ）に示すように、正面視略凹字状に形成されており、端部７３ａ，７３ａにおいて上方に突出している。
これらの端部７３ａ，７３ａは、コイルばね７２からの付勢によって記録ヘッド３のベンチコロ３０と当接することにより、記録ヘッド３の側へのプラテン部材７３の移動を拘束するようになっている。
【００３５】
これら端部７３ａ，７３ａ間の中央部７３ｂの上面は、記録ヘッド３と対向する領域の搬送ベルト６を支持するようになっている。より詳細には、この中央部７３ｂは、図１（ａ）に示すように、他のプラテン部材７３の中央部７３ｂ及びインナーガイド板７０とによって、搬送方向Ｘの上流側から下流側に向かってカテナリーアーチ状に搬送ベルト６を支持するようになっている。
【００３６】
また、搬送ベルト６と記録媒体Ｋとの当接部のうち、搬送方向Ｘの上流側縁部の上方には帯電器６１が配設されており、下流側縁部の上方には除電器６２が配設されている。
【００３７】
帯電器６１は、前記上流側縁部に沿って記録媒体Ｋを直流電圧で帯電させることにより、搬送ベルト６に記録媒体Ｋを静電吸着させるものである。また、除電器６２は、前記下流側縁部に沿って記録媒体Ｋを除電することにより、搬送ベルト６による記録媒体Ｋの静電吸着を解除するものである。
【００３８】
なお、搬送ベルト６よりも搬送方向Ｘの下流側には、回転駆動自在な巻き取りローラ（図示せず）などが配設されており、元巻きローラ５０から供給される記録媒体Ｋを巻き取るようになっている。
【００３９】
次に、本実施形態に用いられる「インク」について説明する。
本実施形態に用いられるインクは、特に「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００４０】
具体的に、本実施形態に用いられるインクは、光としての紫外線の被照射により硬化する性質を具備する紫外線硬化型インクであり、主成分として、重合性化合物（公知の重合性化合物を含む。）と、光開始剤と、色材とを少なくとも含むものである。ただし、本実施形態に用いるインクとして、上記「光誘導型交互共重合（第２節）」に適合するインクを用いる場合には、光開始剤は除外されてもよい。
【００４１】
上記光硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。
【００４２】
しかしながら、酸素による重合反応の阻害が少ない又は無いカチオン重合系インクのほうが機能性・汎用性に優れるため、本実施形態では、特に、カチオン重合系インクを用いている。
【００４３】
なお、本実施形態に用いられるカチオン重合系インクは、具体的に、オキセタン化合物，エポキシ化合物，ビニルエーテル化合物等のカチオン重合性化合物と、光カチオン開始剤と、色材とを少なくとも含む混合物であり、上記の通り、紫外線の照射により硬化する性質を具備するものである。
【００４４】
ところで、本実施形態に用いられるインク（ラジカル重合系インク，カチオン重合系インク及びハイブリッド型インクを含む。）は、上記の通り、紫外線の被照射により硬化するものであるが、必ずしもこれには限定されず、紫外線以外の光の被照射により硬化するものであってもよい。ここでいう「光」とは、広義の光であって、紫外線、電子線、Ｘ線、可視光線、赤外線等の電磁波を含むものである。つまり、本実施形態に用いられるインクには、紫外線以外の光で重合して硬化する重合性化合物と、紫外線以外の光で重合性化合物同士の重合反応を開始させる光開始剤とが適用されてもよい。紫外線以外の光で硬化する光硬化型のインクを本実施形態に用いられるインクとして用いる場合は、その光を照射する光源を本発明に係る照射部として適用しなければならない。
【００４５】
次に、本実施形態に用いられる「記録媒体Ｋ」について説明する。
本実施形態に用いられる記録媒体Ｋとしては、通常のインクジェット記録装置に適用される普通紙，再生紙，光沢紙等の各種紙，各種布地，各種不織布，樹脂，金属，ガラス等の材質からなる記録媒体が適用可能である。記録媒体Ｋの形態としては、ロール状、カットシート状、板状等が適用可能である。本実施形態では、記録媒体Ｋとして、図１（ａ）に示すように、ロール状の樹脂製フィルムを用いている。
【００４６】
特に、本実施形態で用いられる記録媒体Ｋとして、いわゆる軟包装に用いられる透明又は不透明な非吸湿性の樹脂製フィルムが適用できる。樹脂製フィルムの具体的な樹脂の種類として、ポリエチレンテレフタレート，ポリエステル，ポリオレフィン，ポリアミド，ポリエステルアミド，ポリエーテル，ポリイミド，ポリアミドイミド，ポリスチレン，ポリカーボネート，ポリ-ρ-フェニレンスルフィド，ポリエーテルエステル，ポリ塩化ビニル，ポリ(メタ)アクリル酸エステル、ポリエチレン、ポリプロピレン、ナイロン等が適用可能であり、さらには、これら樹脂の共重合体、これら樹脂の混合物、これら樹脂を架橋したもの等も適用可能である。中でも、樹脂製フィルムの樹脂の種類として、延伸したポリエチレンテレフタレート，ポリスチレン，ポリプロピレン，ナイロンのいずれかを選択するのが、樹脂製フィルムの透明性・寸法安定性・剛性・環境負荷・コスト等の面で好ましく、２〜１００μｍ（好ましくは６〜５０μｍ）の厚みを有する樹脂製フィルムを用いるのが好ましい。また、樹脂製フィルムの支持体の表面にコロナ放電処理、易接着処理等の表面処理を施してもよい。また、本実施形態に用いられる記録媒体Ｋとして、樹脂により表面を被覆した各種紙，顔料を含むフィルム，発泡フィルム等の不透明な公知の記録媒体も適用可能である。
【００４７】
なお、本実施の形態においては、記録媒体Ｋとして、ナイロン、ポリエチレンまたはポリプロピレン製で、厚み２０〜１８０μｍのものを用いている。
【００４８】
続いて、画像記録時のインクジェット記録装置１の動作について説明する。
まず、元巻きローラ５０及び前記巻き取りローラが回転することにより、記録媒体Ｋを搬送方向Ｘに搬送する。これにより、従動ローラ５１ａ〜５１ｃを介して記録媒体Ｋが搬送ベルト６の表面に案内される。
【００４９】
このとき、従動ローラ５１ｃは記録媒体Ｋを表面側から支持し、搬送ベルト６は裏面側から支持するので、これら従動ローラ５１ｃ及び搬送ベルト６の協働によって記録媒体Ｋにテンションが加えられる。また、従動ローラ５１ｃは紡錘形であるので、記録媒体Ｋのテンションが幅方向Ｙの中央側から端側に向かって順次緩和されるとともに、記録媒体Ｋが幅方向Ｙの中央側から端側の順に搬送ベルト６に案内される。また、搬送ベルト６における記録媒体Ｋの支持領域の上流側縁部に沿って帯電器６１が記録媒体Ｋを帯電させるので、この上流側縁部の下流側で帯電させる場合と比較して、搬送ベルト６の支持領域全体で記録媒体Ｋが良好に静電吸着される。
【００５０】
次に、駆動ローラ６０，６０が回転することにより、搬送ベルト６が記録媒体Ｋを上面で支持しつつ搬送方向Ｘに搬送する。
【００５１】
このとき、プラテン７のインナーガイド板７０及びプラテン部材７３，…が搬送ベルト６における記録媒体Ｋの支持領域を、搬送方向Ｘの上流側から下流側に向かってカテナリー曲線状に支持するので、搬送ベルト６は当該支持領域において搬送方向Ｘの上流側から下流側に向かってカテナリー曲線状をなして記録媒体Ｋを搬送することとなる。そのため、この支持領域では、搬送ベルト６は接線方向にのみ応力を生じ、厚み方向には応力を生じないため、厚み方向に安定した状態となる。また、各プラテン部材７３，…がコイルばね７２によって記録ヘッド３の側に付勢されるとともに、記録ヘッド３のベンチコロ３０によって当該記録ヘッド３の側への移動が拘束されているので、記録ヘッド３とプラテン部材７３との間隔が一定に維持される。
【００５２】
次に、搬送ベルト６を介してプラテン７に支持された領域の記録媒体Ｋに対し、記録ヘッド３がインクを吐出する。
そして、照射装置４が、記録媒体Ｋに対して光を照射する。これにより、記録媒体Ｋに着弾したインクが硬化し、記録媒体Ｋの表面に画像が記録される。
【００５３】
以上のようなインクジェット記録装置１によれば、搬送ベルト６の支持領域を厚み方向に安定した状態とすることができるため、記録媒体Ｋの搬送中に搬送ベルト６が厚み方向にばたつくのを防止し、記録媒体Ｋの搬送を安定化することができる。よって、搬送ベルト６に支持された記録媒体Ｋと記録ヘッド３との間隔を一定に維持することができる。
【００５４】
また、コイルばね７２やベンチコロ３０等によって記録ヘッド３とプラテン部材７３との間隔を一定に維持することができるため、記録ヘッド３と記録媒体Ｋとの間隔を、確実に維持することができる。
【００５５】
また、記録媒体Ｋを搬送ベルト６に良好に静電吸着することができるため、長尺な記録媒体Ｋや、軟包装用の樹脂製フィルムの記録媒体Ｋであっても、良好に搬送することができる。よって、記録媒体Ｋの搬送をいっそう安定化することができる。
【００５６】
また、記録媒体Ｋのテンションを幅方向Ｙの中央側から端側に向かって順次緩和することができるため、テンションが不規則に変化するのを防止することができる。従って、記録媒体Ｋに皺が生じるのを防止することができる。
【００５７】
また、記録媒体Ｋを幅方向Ｙの中央側から端側の順に搬送ベルト６に案内することができるため、従動ローラ５１ｃから搬送ベルト６上に記録媒体Ｋを搬送するときの記録媒体Ｋと搬送ベルト６との間の空隙を幅方向Ｙの中央側から端側に向かって順次移動させることができる。従って、記録媒体Ｋと搬送ベルト６との間に気泡が生じるのを防止することができる。
【００５８】
また、従動ローラ５１ｃ及び搬送ベルト６の協働によって記録媒体Ｋにテンションを加えることができるため、記録媒体Ｋの皺や、記録媒体Ｋ及び搬送ベルト６の間の気泡の発生を確実に防止することができる。また、搬送ベルト６は支持領域全体で記録媒体Ｋを静電吸着しつつ搬送することができるので、記録媒体Ｋの皺や、記録媒体Ｋ及び搬送ベルト６の間の気泡の発生を、より確実に防止することができる。特に、軟包装用の樹脂フィルム、中でもナイロン、ポリエチレンまたはポリプロピレン製で、厚み２０〜１８０μｍのフィルムを記録媒体Ｋとして連続的に搬送する場合には、上記のような気泡や皺の発生を効果的に防止することができる。
【００５９】
なお、上記の実施の形態においては、記録ヘッド３がライン記録方式によって画像を記録することとして説明したが、シリアル記録方式によって画像を記録することとしても良い。
【００６０】
また、プラテン７は搬送ベルト６を上方に膨出したカテナリーアーチ状に支持することとして説明したが、下方に凹んだカテナリー曲線状に支持することとしても良い。
【図面の簡単な説明】
【００６１】
【図１】本発明に係るインクジェット記録装置の概略構成を示す図であり、（ａ）は側面図、（ｂ）は（ａ）の切断線Iにおける断面図である。
【図２】本発明に係る搬送装置５の概略構成を示す平面図である。
【図３】従来のインクジェット記録装置の概略構成を示す側面図である。
【符号の説明】
【００６２】
１      インクジェット記録装置 
３      記録ヘッド
５      搬送装置
６      搬送ベルト
７      プラテン
３０    ベンチコロ（記録ヘッドの側部）
５１ｃ  従動ローラ（搬送ローラ）
７１    プラテン部材
７２    コイルばね（弾性部材）
Ｋ      記録媒体
Ｘ      搬送方向
【図１】
2007069466.tif 000003
【図２】
2007069466.tif 000004
【図３】
2007069466.tif 000005